【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
１以上の内部発光サインを含む積層型乗物風防（１００〜７００）であって、
‐特には乗物の外側であることを意図し、Ｆ１と呼ばれる第一の主面（１１）と、Ｆ２と呼ばれる、反対側の第二の主面（１２）とを有し、好ましくは最大で２．５ｍｍの厚さＥ１を有する、第一の湾曲グレージング（１）；
‐Ｆ３と呼ばれる第三の主面（１３）と、特には乗物の内側であることを意図し、Ｆ４呼ばれる、反対側の第四の主面（１４）とを有し、好ましくは最大で２．２ｍｍの厚さＥ’１を有する、第二の湾曲グレージング（１’）、ここで、前記第一及び第二のグレージングの少なくとも一方は鉱物ガラスから作成されている；
ここで、前記第一及び第二のグレージングは、熱成形可能及び熱可塑性ポリマー材料から作成された積層中間層（３，３３，３４，３５）により前記面Ｆ２及び前記面Ｆ３を介して一体に結合され、前記中間層は、前記面Ｆ２側に第一の結合主面（３１）及び前記面Ｆ３側に第二の結合主面（３２）を含む；
‐前記第二の結合面（３２）と前記面Ｆ３（１３）との間に又は前記面Ｆ４（１４）上にあり、不透明材料から作成された、内側マスク層（４）と呼ばれる第一の周縁層、ここで、前記内側マスク層は、不連続であり、したがって１以上の第一の不連続部（５１）を含み、前記１以上の第一の不連続部は、１以上のシンボル及び／又は文字から構成される第一のサイン（５）を形成する；
‐前記第一の結合面（３１）と前記面Ｆ２（１２）との間にあって、前記内側マスク層（４）及び前記１以上の第一の不連続部に面し、不透明材料から作成されている、外側マスク層（６）と呼ばれる第二の周縁層；及び
‐前記第一のサインのための第一の放射源；
を含み、
前記第一の光源が、前記面Ｆ２と前記Ｆ３の間にＯＬＥＤデバイス（２）と呼ばれる第一の湾曲有機発光ダイオードデバイスを含み、前記第一の湾曲有機発光ダイオードデバイスが前記第一のサインをイルミネートする可視光スペクトルの第一の発光を放出することが可能であることを特徴とする、積層型乗物風防（１００〜７００）。
【請求項２】
前記第一のサインは、センチメートル寸法の垂直方向寸法又は高さＨの矩形状であって、前記風防と運転者の注視軸との間に角度αを規定するように、形成されており、前記第一のサインが見かけの高さＨ’と呼ばれる垂直方向寸法を特徴とし、ＨがＨ＝Ｈ’／ｓｉｎ（α）で規定されることを特徴とする、請求項１に記載の積層型乗物風防（１００〜７００）。
【請求項３】
特には白色発光の前記第一のＯＬＥＤデバイスと、前記面Ｆ４上又は前記面Ｆ３側の前記第一のサインとの間に、色フィルタを含み、前記第一のＯＬＥＤデバイスが特にはボトム発光型であることを特徴とする、請求項１又は２に記載の積層型乗物風防（１００〜７００）。
【請求項４】
前記色フィルタが、前記Ｆ３側の下記において、特には前記面Ｆ３と接触して、着色フィルタ層を含むことを特徴とする、請求項３に記載の積層型乗物風防（１００〜７００）：
‐前記面Ｆ３上；
‐又は、前記第一のＯＬＥＤデバイス上、このとき、前記第一のＯＬＥＤデバイスは特にはボトム発光型デバイスである；
‐又は、前記第一のＯＬＥＤデバイスと、第二のサインをイルミネート可能である第二のＯＬＥＤデバイスとに共通である湾曲キャリア上、このとき、前記キャリアは、前記第一のＯＬＥＤデバイスの前方では透明であり、前記第一のＯＬＥＤデバイスは、特にはボトム発光型デバイスであることを特徴とする、請求項１〜３のいずれか一項に記載の積層型乗物風防（１００〜７００)。
【請求項５】
前記内側マスク層が前記面Ｆ３上にあり、１以上の第一の開口に透明層又は着色フィルタ層が充填され、前記透明層は特には熱成形可能材料から作成されていることを特徴とする、請求項１〜４のいずれか一項に記載の積層型乗物風防（１００〜７００）。
【請求項６】
前記内側マスク層の１以上の第二の不連続部が、１以上のシンボル及び／又は文字から構成された第二のサインを形成し、そのサインは、前記第一のサインの近くにあり、特には前記第一のサインから少なくとも１ｃｍ、さらに良好には少なくとも２ｃｍの間隔があること、並びに、
ＯＬＥＤデバイスと呼ばれる第二の湾曲有機発光ダイオードデバイス（２ｂ）が前記面Ｆ２と前記Ｆ３の間にあり、前記第二のＯＬＥＤデバイスは、前記第一のＯＬＥＤデバイスとは別でありかつ前記第二のサインをイルミネート可能であり、前記第一のＯＬＥＤデバイス及び前記第二のＯＬＥＤデバイスは、特にはボトム発光型デバイスであり、前記第一及び第二のＯＬＥＤデバイスは、好ましくは、厚さＥ’２の湾曲共通キャリア（７）上にあり、Ｅ２＋Ｅ’２はＥ３より小さく、Ｅ２は前記第一のＯＬＥＤデバイスの厚さであり、Ｅ３は前記積層中間層の厚さであり、Ｅ’２は好ましくはセンチメートル未満の寸法であり、前記キャリアはトップ側、したがって発光側、又はボトム側に配置されること
を特徴とする、請求項１〜５のいずれか一項に記載の積層型乗物風防。
【請求項７】
前記共通キャリアは、前記第一のＯＬＥＤデバイス及び前記第二のＯＬＥＤデバイスに電力を供給する導電体を担持し、前記第一のＯＬＥＤデバイス及び前記第二のＯＬＥＤデバイスは、特にはボトム発光型デバイスであり、前記共通キャリアは、好ましくは、第一のマイクロコントローラを含む１以上の第一の電気部品を担持し、前記第一のマイクロコントローラは、前記第一のＯＬＥＤデバイスにアドレスし、かつ前記第一のＯＬＥＤデバイスの電力供給を制御し、且つ、前記共通キャリアは、好ましくは、第二のマイクロコントローラを含む１以上の第二の電気部品を担持し、前記第二のマイクロコントローラは、前記第二のＯＬＥＤデバイスにアドレスし、かつ前記第二のＯＬＥＤデバイスの電力供給を制御することを特徴とする、請求項６に記載の積層型乗物風防。
【請求項８】
前記第一のＯＬＥＤデバイスは、誘電体保護層で覆われ、前記誘電体保護層は、任意に前記第一のＯＬＥＤデバイスに電力を供給する導電体を担持し、この保護層は、任意に、前記第一のＯＬＥＤデバイスの１以上のエッジを超えて延在し、かつ前記第一のＯＬＥＤデバイスの近くにあり第二のサインをイルミネート可能である第二のＯＬＥＤデバイスを覆い、前記第一のＯＬＥＤデバイス及びさらには前記第二のＯＬＥＤデバイスもが、特にはボトム発光型デバイスであることを特徴とする、請求項１〜７のいずれか一項に記載の積層型乗物風防。
【請求項９】
前記第一のＯＬＥＤデバイスは、前記面Ｆ２に、直接に、あるいは前記第一のＯＬＥＤデバイスの近くにあり第二のサインをイルミネート可能である第二のＯＬＥＤデバイスと共通であるキャリアを介して、装着され、前記第一のＯＬＥＤデバイス及びさらには前記第二のＯＬＥＤデバイスもが、特にはボトム発光型デバイスであり、前記第一の結合主面は、任意に前記第一のＯＬＥＤデバイスと一致して、実際任意の前記第二のＯＬＥＤデバイスとさえも一致して開口され、特には前記第一のＯＬＥＤデバイスに対する積層中間層の余分な厚みが好ましくは最大で０．４ｍｍ又は最大で０．３ｍｍの高さの間隙を残し、前記積層中間層が好ましくは任意の前記共通キャリアを覆い、又は、
前記第一のＯＬＥＤデバイスは、前記面Ｆ３に、直接に、あるいは前記第一のＯＬＥＤデバイスの近くにあり第二のサインをイルミネート可能である第二のＯＬＥＤデバイスと共通であるキャリアを介して、装着され、前記第二の結合主面は、任意に前記第一のＯＬＥＤデバイスと一致して、実際任意の前記第二のＯＬＥＤデバイスとさえも一致して開口され、特には前記第一のＯＬＥＤデバイスに対する積層中間層の余分な厚みが好ましくは最大で０．４ｍｍ又は最大で０．３ｍｍの高さの間隙を残し、前記積層中間層が好ましくは任意の共通キャリアを覆うことを特徴とする、請求項１〜８のいずれか一項に記載の積層型乗物風防。
【請求項１０】
前記第一のＯＬＥＤデバイスが熱成形可能材料でカプセル化されていることを特徴とする、請求項１〜９のいずれか一項に記載の積層型乗物風防。
【請求項１１】
前記熱成形可能材料がポリビニルブチラール（ＰＶＢ）を含むことを特徴とする、請求項１０に記載の積層型乗物風防。
【請求項１２】
前記第一のサインを、
‐好ましくは下方エッジにおける、運転者援助；
‐好ましくは下方エッジ、上方エッジ又は運転者側横エッジにおける、自動車の操作状態を表示するステータス表示；
‐上方エッジにおける、天気などの外部環境の情報；及び
‐前席乗員側横エッジにおける、通信ネットワークとの接続性を表示する表示；
から選択することを特徴とする、請求項１〜１１のいずれか一項に記載の積層型乗物風防。
【請求項１３】
前記内側マスク層及び前記外側マスク層が、同じ材料から作成され、好ましくはエナメルであり、かつ前記Ｆ２及び前記Ｆ３上に又は前記Ｆ２及び前記Ｆ４上にあり、任意の前記着色フィルタ層が、エナメルであることを特徴とする、請求項１〜１２のいずれか一項に記載の積層型乗物風防。
【請求項１４】
前記内側マスク層が、特には、幅Ｌ０の運転者側ストリップであり、幅Ｌ１＞Ｌ０の前記第一のサインの領域にあることを特徴とする、請求項１〜１２のいずれか一項に記載の積層型乗物風防。
【請求項１５】
前記第一のＯＬＥＤデバイスが、第一の基板を含み、かつ前記第一の基板を介して発光し、任意の第二のＯＬＥＤデバイスが、前記第一の基板の近くにあるか前記第一の基板と同一である第二の基板を含み、かつ前記第二の基板を介して発光することを特徴とする、請求項１〜１４のいずれか一項に記載の積層型乗物風防。
【請求項１６】
前記第一のＯＬＥＤデバイスが第一の湾曲透明基板を含み、前記第一の湾曲透明基板が、前記面Ｆ２側に次の順序で：
‐好ましくは透明な、下側電極；
‐第一の有機発光系；及び
‐特には金属であり、好ましくは反射性の、上側電極；
を含み、かつ
前記風防が、任意に、前記面Ｆ２と前記Ｆ３の間に第二のＯＬＥＤデバイスを含み、前記第二のＯＬＥＤデバイスが、前記第一のＯＬＥＤデバイスの近くに第二の湾曲透明基板を含み、第二のサインをイルミネート可能であり、前記第二の湾曲透明基板が、前記Ｆ２面側に次の順序で：
‐好ましくは透明な、下側電極；
‐第二の有機発光系；及び
‐特には金属であり、好ましくは反射性の、上側電極；
を含むことを特徴とする、請求項１〜１５のいずれか一項に記載の積層型乗物風防。